(57)【特許請求の範囲】
【請求項１】
端部を折り返し、さらに外曲げ箱折り形状に加工し、内側に断熱材を取り付けた外装パネルを複数枚組み合わせることにより箱体を形成するとともに前記外装パネルのコーナー部には補強金具を取り付けるとともに天板部分のパネルのコーナー部には補強と吊り金具機能を兼ねた補強金具を取り付けたフレームレス空気調和機であって、
外曲げ箱折り形状の１枚の外装パネルの中央部分の外側に、断面コ字状の補強部材を取り付けることによりパネルの補強を行うとともに前記補強部材はパネル内面よりネジ等の締結手段により取り付けたフレームレス空気調和機。
【請求項２】
端部を折り返し、さらに外曲げ箱折り形状に加工し、内側に断熱材を取り付けた外装パネルを複数枚組み合わせることにより箱体を形成するとともに前記外装パネルのコーナー部には補強金具を取り付けるとともに天板部分のパネルのコーナー部には補強と吊り金具機能を兼ねた補強金具を取り付けたフレームレス空気調和機であって、
内部に周囲を立ち上げたドレンパンを配設し、前記外装パネルの内側の断熱材の厚みを前記ドレンパンの立ち上がり部に接する部分とその上部で変化させて、接する部分は薄く、上部は厚くして段差を設け、断熱材に付着した水滴の水切りを良くしたフレームレス空気調和機。
【請求項３】
断熱材の種類をドレンパン上部の断熱材の厚い部分と、ドレンパン周囲の断熱材の薄い部分で違えて、厚い部分は吸音性能を有する吸音断熱材とし、薄い部分は撥水性を重視した独立発泡系の樹脂断熱材とした請求項２記載のフレームレス空気調和機。
【請求項４】
下部にモータ、上部にファンを配置し、一体的に組み付けたファン枠を防振架台を介してドレンパン上に取り付け、ファンの吐出側には消音ボックスを配設するとともに前記ファン枠上部と消音ボックス間およびファン枠下部と防振架台の間に耐震ストッパー装置を構成したフレームレス空気調和機の組込ファンの取付装置。
【請求項５】
耐震ストッパー装置を大径パイプ内に小径パイプを挿入する構造とし、大径パイプ及び小径パイプに貫通穴を設けて、輸送時にはこの貫通穴にピンを通して固定することにより、輸送用の固定装置として機能し、運転時にはピンを外して耐震ストッパーとして機能させる耐震ストッパー装置を取り付けた請求項４記載のフレームレス空気調和機の組込ファンの取付装置。
【請求項６】
消音ボックス内に２枚の対向可動翼を有するダンパーをファンの吐出開口に合わせて配設するとともに、可動翼の形状を斜めにカットし、閉じた場合にＶ形状の間隙を有するように配置し、さらにダンパーの軸を空気調和機の機外に出して、機外より操作できるように構成した請求項４記載のフレームレス空気調和機の組込ファンの取付装置。
【発明の詳細な説明】
【０００１】
【発明の属する技術分野】
本発明はビル、工場の空調に用いられる空気調和機に関するものである。
【０００２】
【従来の技術】
従来、この種の空気調和機は、図１５に示すような構成が一般的であった。
図  に示すように、枠フレーム１０１に断熱材１０２を貼り付けた外装パネル１０３を複数枚、ネジなどで取り付けてケーシング１０４を構成していた。
【０００３】
また、このような枠フレームを使用しないケーシングとして特開平０５−３２２２０５号公報に記載されているものが知られているが、一般的には、図１６に示すように、外曲げ箱折り形状に加工した外装パネル２０１どうしを突き合わせて端部を接合し、空気調和機２０２の外殻を形成していた。
【０００４】
【発明が解決しようとする課題】
このような従来の空気調和機では、枠フレーム１０１が全ての部品取り付けの基本となっているため、通常アングル材で構成する枠フレーム１０１が複雑で工数がかかり、重量も大きく生産コストが高価になるという課題があった。このようなことから図１６のような枠フレームを使用しないフレームレス構造も使用されてきたが、外装パネル２０１の突き合わせ部分の強度不足のため隙間を生じ、気密性が減少するという課題があった。また空気調和機を吊り上げる場合に使用する吊り金具も従来のアイボルト等を取り付ける場合は、パネルの強度に限界があるという課題があった。さらに、パネルどうしの接合で外殻を形成しているためパネルの面積の大きい場合は、静圧等により、接合部を含めて変形する等の課題があった。また外装パネル２０１自体も薄板製であるため面補強をする必要があるという課題があった。また内部のドレンパン２０６回りのパネルの断熱材の結露水や飛散水滴の対策も課題であった。
【０００５】
本発明は、このような従来の課題を解決するものであり、フレームレス構造で工数が少なく、十分な強度を有し、気密性、断熱性の高いフレームレス空気調和機を提供することを目的とする。
【０００６】
そして従来のフレームレス空気調和機の組込ファンの取付装置では、内部に設置したファン２０３の吐出音対策や、風量調節機能の組み込みも必要な場合、パネル構造ではその構成が難しいという課題があった。さらに、輸送や、耐震用のストッパー機能をファン枠２０５とパネルで構成されたケーシング内で構成する場合、必要な強度を確保することが難しいという課題があった。
【０００７】
本発明は、このような従来の課題を解決するものであり、ファンの吐出騒音が小さく、風量調節もでき、輸送や耐震強度の確保できるフレームレス空気調和機の組込ファンの取付装置を提供することを目的としている。
【００１０】
【課題を解決するための手段】
本発明のフレームレス空気調和機は上記目的を達成するために、外曲げ箱折り形状に加工しコーナーに補強金具を取り付けた外装パネルを組み合わせたもので、1枚の外装パネルの中央部分にコ字状の部材を取り付けたものである。
【００１１】
本発明によれば、外装パネルの面補強の容易なフレームレス空気調和機が得られる。
【００１２】
また、他の手段は、ドレンパン周囲の断熱材の厚みと種類を変える構成としたものである。
【００１３】
本発明によれば、断熱材に付着した水滴の水切り、および撥水効果の高いフレームレス空気調和機が得られる。
【００１４】
また、本発明のフレームレス空気調和機の組込ファンの取付装置は上記目的を達成するために、ファン枠の上下に耐震ストッパーを設けている。
【００１５】
本発明によれば、輸送および耐震強度の高いフレームレス空気調和機の組込ファンの取付装置が得られる。
【００１８】
【発明の実施の形態】
本発明は、端部を折り返し、さらに外曲げ箱折り形状に加工し、内側に断熱材を取り付けた外装パネルを複数枚組み合わせることにより箱体を形成するとともに前記外装パネルのコーナー部には補強金具を取り付けるとともに天板部分のパネルのコーナー部には補強と吊り金具機能を兼ねた補強金具を取り付けたフレームレス空気調和機に、外曲げ箱折り形状の1枚の外装パネルの中央部分の外側に断面コ字状の部材を取り付けることによりパネルの補強を行うとともに前記補強部材はパネル内面よりネジ等の締結手段により取り付けたものであり、外装パネル面が補強され、風圧や、静圧変動などにより振動や、変形をすることを防ぐことができる。
【００１９】
また、外曲げ箱折り形状に加工した外装パネルを組み合わせて箱体を形成し、内部に周囲を立ち上げたドレンパンを配設し、前記外装パネルの内側の断熱材の厚みを前記ドレンパンの立ち上がり部に接する部分とその上部で変化させて、接する部分は薄く、上部は厚くして段差を設け、断熱材に付着した水滴の水切りを良くするという作用を有する。
【００２０】
また、断熱材の種類をドレンパン上部の断熱材の厚い部分と、ドレンパン周囲の断熱材の薄い部分で違えて、厚い部分は吸音性能を有する吸音断熱材とし、薄い部分は撥水性を重視した独立発泡系の樹脂断熱材としたものであり、断熱材に付着した水滴の吸収を防ぐとともに、吸音性能を保つこととなる。
【００２１】
また、下部にモータ、上部にファンを配置し、一体的に組み付けたファン枠を防振架台を介してドレンパン上に取り付け、ファンの吐出側には消音ボックスを配設するとともに前記ファン枠上部と消音ボックス間およびファン枠下部と防振架台の間に耐震ストッパー装置を構成したものであり、輸送や、地震時でも上下で支えるため十分耐えることができるという効果を有する。
【００２２】
また、消音ボックス内に２枚の対向可動翼を有するダンパーをファンの吐出開口に合わせて配設するとともに、可動翼の形状を斜めにカットし、閉じた場合にＶ形状の間隙を有するように配置し、さらにダンパーの軸を空気調和機の機外に出して、機外より操作できるように構成しているため、ダンパーの操作が容易で、騒音の低い風量制御ができることとなる。
【００２３】
また、耐震ストッパー装置を大径パイプ内に小径パイプを挿入する構造とし、大径パイプ及び小径パイプに貫通穴を設けて、輸送時にはこの貫通穴にピンを通して固定することにより、輸送用の固定装置として機能し、運転時にはピンを外して耐震ストッパーとして機能させるものであり、一種類の装置で輸送と耐震時の両用が可能となる。
【００２４】
以下、本発明の実施例について図面を参照しながら説明する。
【００２５】
【実施例】
（参考例１）
図１ー図５に示すように、端部を折り返し、さらに外曲げ箱折り形状に加工した外装パネル１の内側には断熱材２が取り付けられている。そして外装パネル１の端部どうしをネジ等の結合手段により接合してフレームレス空気調和機３を構成している。外装パネル１のコーナー部１ａにはコーナー部に沿うようにＬ形状に加工したコーナー補強金具４を取り付けている。また天面サイドの外装パネル１のコーナー部には斜め上方に折り曲げた金属板の端部に吊り穴を設けた吊り補強金具５を取り付けている。
【００２６】
上記構成において、外装パネル１どうしは、コーナー部が補強金具４で強化されて結合されるため隙間が生じにくく気密性を高く保つことができる。また天面サイドの補強金具５の斜め折り曲げ部で吊り上げるため、最も強度の高いコーナー部で吊り上げることとなり、フレームレス構造での 吊り上げ時の強度が確保できることとなる。
【００２７】
（参考例２）
図６、図７に示すように、外曲げ箱折り形状の外装パネル１どうしの接合の中間部に小幅の外曲げ箱折り形状に加工した補強パネル６を挟み込んでネジ等により結合している。
【００２８】
上記構成において、補強パネル６は、断面コ形状の補強部材となるため、外装パネル１どうしを直接、結合する場合に比較して、接合面が強化されることとなる。
【００２９】
（実施例１）
図６、図８に示すように外曲げ箱折り形状の１枚の外装パネル１の外面中央部に、断面コ形状の補強部材７を内面よりネジ３１で取り付けている。そして断熱材２をその上に貼り付ける構成としている。
【００３０】
上記構成において、外装パネル１は、補強部材７により中央部が補強されることなる。また補強部材７の取付の際、断熱材２を貫通するネジ類が無いため、空調機内面よりの熱伝達による結露を防止できることとなる。
【００３１】
（実施例２）
図９に示すように、内面に断熱材２を貼り付けた外曲げ箱折り形状の外装パネル１を結合してフレームレス空気調和機の箱体３２を形成している。箱体３２の内面下部には周囲を立ち上げたドレンパン８を配置し、パッキン９を介して基礎架台１０に取り付けている。ドレンパン８の立ち上がり部８ａと外装パネル１の間の断熱材２ｂはその上部の断熱材２ａとは厚さを違えて、断熱材２ａの方を厚くして、段差１１を設けている。
【００３２】
上記構成において、断熱材２ａに飛散水滴が付着して流れ落ちる場合、段差部１１による水切り効果により、ドレンパン８の立ち上がり部８ａ周囲の断熱材２ｂへの侵入を防ぐことができる。
【００３３】
（実施例３）
図１０に示すように断熱材２ａはグラスウール等の吸音性能を有する断熱材とし、断熱材２ｂは、独立発泡系のウレタンフォーム等の断熱材としている。
【００３４】
上記構成により、水滴の侵入の可能性の高いドレンパン８周辺は独立発泡断熱材のために防水性能が高く、その他の断熱材は吸音断熱材のためファン等からの騒音を吸収し、騒音の低減効果を保つことができる。
【００３５】
（実施例４）
図１１に示すように、下部にモータ１２、上部にファン１３を配置して一体に組み込んだファン枠１４をドレンパン８上に設置し、ファン１３の吐出側には消音ボックス１５を取り付けている。そして、ファン枠１４の上部と消音ボックス１５との間および、ファン枠１４の下部とドレンパン８上に設けた防振架台１８の架台１６との間に、耐震ストッパー装置１７をとりつけている。
【００３６】
上記構成により、ファン１３、モータ１２、防振架台１８および消音ボックス１５を最小の設置面積で構成しながら、耐震ストッパー装置１７を上下に配置することにより、十分な耐震強度を有することとなる。
【００３７】
（実施例５）
図１１、図１２に示すように、耐震ストッパー装置１７は、上部の大径パイプ１９内に下部の小径パイプ２０を挿入するように構成されており、大径パイプ１９と小径パイプ２０には、貫通穴２１をもうけている。この貫通穴２１には、ピン２２を挿入できるようにしており、輸送時には、ピン２２を挿入してネジ２３により固定し、運転時には、ピン２２を外して使用する構成としている。
【００３８】
上記構成により、輸送時には、ファン枠１４は、上下の耐震ストッパー装置１７が、ピン２２により固定されるため、動きが拘束され、運転時には、ピン２２を外してフリーとするため、防振効果を有することとなる。また地震時の揺れに対しては、上下のパイプが耐震ストッパーとして動作し、揺れが制限されることとなる。
【００３９】
（実施例６）
図１１、図１３、図１４に示すように、内部に吸音材２４を貼り付けた消音ボックス１５内には、ダンパー２５が設置されており、ダンパー軸２６は消音ボックス１５を貫通し、機外に取り出し、操作ハンドル２７を取り付けている。また、ダンパー２５の対抗する２枚の可動翼２８は斜めにカットされている。そして、ダンパーが閉じた場合には、Ｖ形状の間隙を生じるように構成されている。
【００４０】
上記構成により、ダンパー２５が消音ボックス１５内に設置されているため、ダンパー１５からの風切り音などの発生音が減音されることとなる。また、ダンパー２５の可動翼２８が斜め形状であるため、風量制御時の騒音発生が少なくなる。
【００４１】
【発明の効果】
以上の実施例から明らかなように、本発明によれば、気密性が高く、面の強度の高いフレームレス空気調和機を提供できる。また、本発明によれば、内部の水密性に優れたフレームレス空気調和機を提供できる。また、輸送および耐震強度の大きいフレームレス空気調和機の組み込みファンの取付装置を提供できる。
【図面の簡単な説明】
【図１】   本発明の参考例１のフレームレス空気調和機を示す斜視図
【図２】   同天面部の断面図
【図３】   同吊り補強金具の斜視図
【図４】   同パネル接続部の詳細図
【図５】   同コーナー補強金具の斜視図
【図６】   本発明の参考例２のフレームレス空気調和機の側面図
【図７】   同断面図
【図８】   本発明の実施例１のパネルの断面図
【図９】   本発明の実施例２のフレームレス空気調和機の断面図
【図１０】   本発明の実施例３のフレームレス空気調和機の断面図
【図１１】   本発明の実施例４のフレームレス空気調和機の組込ファンの取付装置の内部構成図
【図１２】   本発明の実施例５の耐震ストッパーの斜視図
【図１３】   本発明の実施例６のダンパー部の側断面図
【図１４】   同 正面断面図
【図１５】   従来の空気調和機の部分断面図
【図１６】   従来のフレームレス空気調和機の部分断面図
【符号の説明】
１    外装パネル
２    断熱材
３    空気調和機
４    コーナー補強金具
５    吊り補強金具
６    中間パネル
７    補強部材
８    ドレンパン
１２  モータ
１３  ファン
１４  ファン枠
１５  消音ボックス
１７  耐震ストッパー装置
１８  防振架台
１９  大径パイプ
２０  小径パイプ
２１  貫通穴
２２  ピン
【図１】
0003814332.tif 000002
【図２】
0003814332.tif 000003
【図３】
0003814332.tif 000004
【図４】
0003814332.tif 000005
【図５】
0003814332.tif 000006
【図６】
0003814332.tif 000007
【図７】
0003814332.tif 000008
【図８】
0003814332.tif 000009
【図９】
0003814332.tif 000010
【図１０】
0003814332.tif 000011
【図１１】
0003814332.tif 000012
【図１２】
0003814332.tif 000013
【図１３】
0003814332.tif 000014
【図１４】
0003814332.tif 000015
【図１５】
0003814332.tif 000016
【図１６】
0003814332.tif 000017